(57)【要約】【課題】短いタップ長のフィルタで効率良く前ゴースト及び後ゴーストを等化することが可能な等化器、該等化器を含む受信機や遅延プロファイル測定器等の装置、及び等化プログラムを提供する。【解決手段】等化器１の時間反転部１０２は、メモリ部１０１から信号を読み出し、時間的に反転した信号を作成して出力する。減算器１０３及びＦＩＲフィルタ１０４は、ＩＩＲフィルタ部１０９を構成し、時間反転した信号に時間反転した係数を畳み込み、前ゴーストを等化する。時間反転部１０５は、時間的に反転した信号を作成して出力する。減算器１０６及びＦＩＲフィルタ１０７は、ＩＩＲフィルタ部１１０を構成し、時間反転している信号を順方向に戻した信号に係数を畳み込み、後ゴーストを等化する。時間窓処理部１０８は、入力した信号の時間的に前後の一部の信号を削除し、その中心付近の信号だけを抽出する時間窓を入力信号にかけ、抽出した信号を出力する。【選択図】図１
2006140917.tif 000002
【特許請求の範囲】
【請求項１】
入力された信号に対して、伝搬路のマルチパスに起因する歪みを等化する等化器であって、
前記入力された信号の時間反転した信号を作成して出力する手段と、
前記時間反転した信号にフィルタ処理を施し、前記入力された信号に含まれる前ゴーストを等化した信号を出力する手段と、
前記前ゴーストを等化した信号の時間反転した信号を作成して出力する手段と、
前記前ゴーストを等化した信号の時間反転した信号にフィルタ処理を施し、前記入力された信号に含まれる後ゴーストを等化した信号を出力する手段と
を具えたことを特徴とする等化器。
【請求項２】
入力された信号に対して、伝搬路のマルチパスに起因する歪みを等化する等化器であって、
前記入力された信号にフィルタ処理を施し、該信号に含まれる後ゴーストを等化した信号を出力する手段と、
前記後ゴーストを等化した信号の時間反転した信号を作成して出力する手段と、
前記後ゴーストを等化した信号の時間反転した信号にフィルタ処理を施し、前記入力された信号に含まれる前ゴーストを等化した信号を出力する手段と、
前記前ゴーストを等化した信号の時間反転した信号を作成して出力する手段と
を具えたことを特徴とする等化器。
【請求項３】
前記入力された信号をメモリに一時蓄積して該信号を出力する手段と、
請求項１または２に記載の各手段が前記メモリから出力した信号に一連の処理を施した後に、該一連の処理を施した信号を入力し、該信号のうちの時間的に前及び後の一部の信号を削除して出力する手段と
を具えたことを特徴とする請求項１または２に記載の等化器。
【請求項４】
前記フィルタ処理を、ＩＩＲフィルタにより施すことを特徴とする請求項１から３までのいずれか一項に記載の等化器。
【請求項５】
請求項１から４までのいずれか一項に記載の等化器を含み、該等化器の出力信号を復調するように構成したことを特徴とする受信装置。
【請求項６】
請求項１から４までのいずれか一項に記載の等化器を含み、等化を行うフィルタの係数に基づいて前記等化器に入力された信号の遅延プロファイルを算出するように構成したことを特徴とする遅延プロファイル測定装置。
【請求項７】
等化器に入力された信号に対して、伝搬路のマルチパスに起因する歪みを等化するプログラムであって、前記等化器を構成するコンピュータに、
前記入力された信号の時間反転した信号を作成して出力する処理と、
前記時間反転した信号にフィルタ処理を施し、前記入力された信号に含まれる前ゴーストを等化して出力する処理と、
前記前ゴーストを等化した信号の時間反転した信号を作成して出力する処理と、
前記前ゴーストを等化した信号の時間反転した信号にフィルタ処理を施し、前記入力された信号に含まれる後ゴーストを等化した信号を出力する処理と
を実行させる等化プログラム。
【請求項８】
等化器に入力された信号に対して、伝搬路のマルチパスに起因する歪みを等化するプログラムであって、前記等化器を構成するコンピュータに、
前記入力された信号にフィルタ処理を施し、該信号に含まれる後ゴーストを等化した信号を出力する処理と、
前記後ゴーストを等化した信号の時間反転した信号を作成して出力する処理と、
前記後ゴーストを等化した信号の時間反転した信号にフィルタ処理を施し、前記入力された信号に含まれる前ゴーストを等化した信号を出力する処理と、
前記前ゴーストを等化した信号の時間反転した信号を作成して出力する処理と
を実行させる等化プログラム。
【請求項９】
伝搬路から観測信号を入力し、該信号に対してフィルタにより等化処理を施し、前記伝搬路の遅延プロファイルを測定するプログラムであって、コンピュータに、
請求項７または８に記載の各処理と、
前記フィルタの係数から伝搬路の遅延プロファイルを算出する処理と
を実行させる遅延プロファイル測定プログラム。
【発明の詳細な説明】
【技術分野】
【０００１】
本発明は、デジタル伝送及びデジタル放送において、伝搬路のマルチパスに起因する受信信号の歪みを波形等化によって補正するための等化器、これを用いた受信機や測定器等の装置、及びプログラムに関する。
【背景技術】
【０００２】
図１０に、従来の等化器の例を示す。この等化器１０は、伝搬路のマルチパスに起因する受信信号の歪みを時間領域で波形等化するものであり、前段にＦＩＲ（Ｆｉｎｉｔｅ−ｄｕｒａｔｉｏｎ  Ｉｍｐｕｌｓｅ  Ｒｅｓｐｏｎｓｅ：有限インパルス応答）フィルタ１１によりフィードフォワードタップを構成し、後段に減算器１２及び当該減算器１２の減算端子に出力を帰還するＦＩＲフィルタ１３から成るＩＩＲ（Ｉｎｆｉｎｉｔｅ−ｄｕｒａｔｉｏｎ  Ｉｍｐｕｌｓｅ  Ｒｅｓｐｏｎｓｅ）フィルタ１３によりフィードバックタップを構成している。このような構成の等化器１０は、受信信号の遅延プロファイル上で最も振幅の大きな主波よりも時間的に前に到着するマルチパス波（以下、「前ゴースト」という。）をフィードフォワードタップにより等化し、主波よりも時間的に後に到着するマルチパス波（以下、「後ゴースト」という。）をフィードバックタップにより等化する（非特許文献１を参照。）。
【０００３】
【非特許文献１】佐藤洋一、「線形等化理論  適応ディジタル信号処理」、丸善株式会社、平成２年５月３１日、ｐ．４２−４３
【発明の開示】
【発明が解決しようとする課題】
【０００４】
フィードバックタップによりマルチパス波を等化する場合、フィードバックタップを構成しているＦＩＲフィルタ１３に設定される係数は、遅延プロファイルと同じＦＩＲ型の係数となる。これに対し、フィードフォワードタップによりマルチパス波を等化する場合、フィードフォワードタップを構成しているＦＩＲフィルタ１１に設定される係数はＩＩＲ型のインパルス応答となるため、フィードバックタップの係数に比べて数倍長いタップ長が必要となる。従って、前ゴーストを等化する場合には、同じ遅延時間差の後ゴーストに比べて数倍のタップ長が必要となる。この場合、フィルタのタップ長が長くなるとハードウェア規模が大きくなるばかりでなく、フィルタ処理に要する時間が長くなるという問題がある。
【０００５】
そこで、本発明の第１の目的は、上記問題を解決し、短いタップ長のフィルタで効率良く前ゴースト及び後ゴーストを等化することが可能な等化器及び等化プログラムを提供することにある。また、本発明の第２の目的は、上記問題を解決する等化器を含む受信機や遅延プロファイル測定器等の装置及びプログラムを提供することにある。
【課題を解決するための手段】
【０００６】
本発明による請求項１の等化器は、入力された信号に対して、伝搬路のマルチパスに起因する歪みを等化する等化器であって、前記入力された信号の時間反転した信号を作成して出力する手段と、前記時間反転した信号にフィルタ処理を施し、前記入力された信号に含まれる前ゴーストを等化した信号を出力する手段と、前記前ゴーストを等化した信号の時間反転した信号を作成して出力する手段と、前記前ゴーストを等化した信号の時間反転した信号にフィルタ処理を施し、前記入力された信号に含まれる後ゴーストを等化した信号を出力する手段とを具えたことを特徴とする。
【０００７】
本発明による請求項２の等化器は、入力された信号に対して、伝搬路のマルチパスに起因する歪みを等化する等化器であって、前記入力された信号にフィルタ処理を施し、該信号に含まれる後ゴーストを等化した信号を出力する手段と、前記後ゴーストを等化した信号の時間反転した信号を作成して出力する手段と、前記後ゴーストを等化した信号の時間反転した信号にフィルタ処理を施し、前記入力された信号に含まれる前ゴーストを等化した信号を出力する手段と、前記前ゴーストを等化した信号の時間反転した信号を作成して出力する手段とを具えたことを特徴とする。
【０００８】
本発明による請求項３の等化器は、請求項１または２に記載の等化器において、前記入力された信号をメモリに一時蓄積して該信号を出力する手段と、請求項１または２に記載の各手段が前記メモリから出力した信号に一連の処理を施した後に、該一連の処理を施した信号を入力し、該信号のうちの時間的に前及び後の一部の信号を削除して出力する手段とを具えたことを特徴とする。
【０００９】
本発明による、請求項４の等化器は、請求項１から３までのいずれか一項に記載の等化器において、前記フィルタ処理を、ＩＩＲフィルタにより施すことを特徴とする。
【００１０】
本発明による請求項５の受信装置は、請求項１から４までのいずれか一項に記載の等化器を含み、該等化器の出力信号を復調するように構成したことを特徴とする。
【００１１】
本発明による請求項６の遅延プロファイル測定装置は、請求項１から４までのいずれか一項に記載の等化器を含み、等化を行うフィルタの係数に基づいて前記等化器に入力された信号の遅延プロファイルを算出するように構成したことを特徴とする。
【００１２】
本発明による請求項７の等化プログラムは、等化器に入力された信号に対して、伝搬路のマルチパスに起因する歪みを等化するプログラムであって、前記等化器を構成するコンピュータに、前記入力された信号の時間反転した信号を作成して出力する処理と、前記時間反転した信号にフィルタ処理を施し、前記入力された信号に含まれる前ゴーストを等化して出力する処理と、前記前ゴーストを等化した信号の時間反転した信号を作成して出力する処理と、前記前ゴーストを等化した信号の時間反転した信号にフィルタ処理を施し、前記入力された信号に含まれる後ゴーストを等化した信号を出力する処理とを実行させることを特徴とする。
【００１３】
本発明による請求項８の等化プログラムは、等化器に入力された信号に対して、伝搬路のマルチパスに起因する歪みを等化するプログラムであって、前記等化器を構成するコンピュータに、前記入力された信号にフィルタ処理を施し、該信号に含まれる後ゴーストを等化した信号を出力する処理と、前記後ゴーストを等化した信号の時間反転した信号を作成して出力する処理と、前記後ゴーストを等化した信号の時間反転した信号にフィルタ処理を施し、前記入力された信号に含まれる前ゴーストを等化した信号を出力する処理と、前記前ゴーストを等化した信号の時間反転した信号を作成して出力する処理とを実行させることを特徴とする。
【００１４】
本発明による請求項９の遅延プロファイル測定プログラムは、伝搬路から観測信号を入力し、該信号に対してフィルタにより等化処理を施し、前記伝搬路の遅延プロファイルを測定するプログラムであって、コンピュータに、請求項７または８に記載の各処理と、前記フィルタの係数から伝搬路の遅延プロファイルを算出する処理とを実行させることを特徴とする。
【発明の効果】
【００１５】
本発明によれば、時間反転した信号を作成して出力する手段、及び入力した信号にフィルタ処理を施して前ゴーストを等化する手段を組み合わせ、時間反転した信号に時間反転した係数を畳み込むことにより、短いタップ長のフィルタで前ゴーストを等化することができる。また、この等化器を用いた受信機や遅延プロファイル測定器等の装置を実現することができる。
【発明を実施するための最良の形態】
【００１６】
以下、図面を参照して、本発明による等化器及び当該等化器を用いた装置について説明する。
（等化器）
図１は、本発明による等化器の第１の実施例を示すブロック図である。図中、１は本発明による等化器、１０１はメモリ部、１０２及び１０５は時間反転部、１０３及び１０６は減算器、１０４及び１０７はＦＩＲフィルタ、１０８は時間窓処理部、１０９及び１１０はＩＩＲフィルタ部をそれぞれ示している。
【００１７】
メモリ部１０１は、等化器１に入力された信号である伝搬路のマルチパスの影響を受けた観測信号を入力し、後述する係数算出部２からのフラグにより、別途設定された時間長の観測信号をメモリに蓄積し、そのメモリの内容を出力する。時間反転部１０２は、メモリ部１０１のメモリに蓄積された信号を読み出し、読み出した信号の時間的に反転した信号を作成して出力する。減算器１０３は、時間反転部１０２の出力（時間反転信号）を被減算端子に入力し、ＦＩＲフィルタ１０４の出力を減算端子に入力し、被減算端子の信号から減算端子の信号を減算して出力する。ＦＩＲフィルタ１０４は、減算器１０３の出力を入力し、別途設定された係数を入力信号に畳み込んでフィルタ処理を行い、その結果を減算器１０３の減算端子に出力する。
【００１８】
ここで、減算器１０３及びＦＩＲフィルタ１０４は、これらを組み合わせることによりＩＩＲフィルタ部１０９を構成している。このＩＩＲフィルタ部１０９は、等化器１に入力された信号の時間反転した信号が供給され、ＦＩＲフィルタ１０４においてその時間反転した信号に別途説明する時間反転した係数を畳み込むことにより、前ゴーストを等化するように構成されている。
【００１９】
時間反転部１０５は、減算器１０３から出力される信号を入力し、その信号の時間的に反転した信号を作成して出力する。減算器１０６は、時間反転部１０５の出力（時間反転信号）を被減算端子に入力し、ＦＩＲフィルタ１０７の出力を減算端子に入力し、被減算端子の信号から減算端子の信号を減算して出力する。ＦＩＲフィルタ１０７は、減算器１０６の出力を入力し、別途設定された係数を入力信号に畳み込んでフィルタ処理を行い、その結果を減算器１０６の減算端子に出力する。
【００２０】
ここで、減算器１０６及びＦＩＲフィルタ１０７は、これらを組み合わせることにより、前述の減算器１０３及びＦＩＲフィルタ１０４の組み合わせと同様にＩＩＲフィルタ部１１０を構成している。このＩＩＲフィルタ部１１０は、時間反転部１０５において時間反転している信号を順方向の信号に戻した信号が供給され、ＦＩＲフィルタ１０７において順方向の時間の信号に別途説明する順方向の時間の係数を畳み込むことにより、後ゴーストを等化するように構成されている。
【００２１】
時間窓処理部１０８は、減算器１０６からの信号を入力し、その信号の時間的に前及び後におけるそれぞれ一部の信号を削除し、入力信号のうちの時間的に中心付近の信号だけを抽出する時間窓を入力信号にかけ、抽出した信号を等化後の信号として出力する。
【００２２】
次に、図３を参照して、図１に示した等化器１の動作について説明する。図３は、メモリ部１０１から出力される信号の処理を説明するための図である。本図において、Ｎは時間窓処理部１０８の時間窓の幅を、Ｌ１及びＬ２は時間幅を、Ｌ１とＮとＬ２とを加算した時間（Ｌ１＋Ｎ＋Ｌ２）は、メモリ部１０１から出力される信号の長さをそれぞれ示している。また、メモリ部１０１から出力される第１回目の信号は、Ｄ１〜ＤＬ１＋Ｎ＋Ｌ２であり、第２回目の信号は、Ｄ１＋Ｎ〜ＤＬ１＋２Ｎ＋Ｌ２である。第１回目に信号において、メモリ部１０１から出力される信号のうち正しく等化される信号は、時間窓処理部１０８の時間窓により抽出して出力される時間窓の幅であるＮの部分（ＤＬ１＋１〜ＤＬ１＋Ｎ）だけである。メモリ部１０１により出力される信号の前からＬ１の幅の部分（Ｄ１〜ＤＬ１）、及び後ろからＬ２の幅の部分（ＤＬ１＋Ｎ＋１〜ＤＬ１＋Ｎ＋Ｌ２）は、中央のＮの幅の部分の信号を等化するために用いられる。具体的に説明すると、メモリ部１０１から出力された信号の前からＬ１の幅の部分は、前ゴーストを等化するＩＩＲフィルタ部１０９において中央のＮの幅の部分に含まれる前ゴースト成分を等化するために必要な信号となる。一方、メモリ部１０１から出力された信号の後ろからＬ２の幅の部分は、後ゴーストを等化するＩＩＲフィルタ部１１０において中央のＮの幅の部分に含まれる後ゴースト成分を等化するために必要な信号となる。
【００２３】
次に、Ｌ１及びＬ２の長さについて説明する。ＦＩＲフィルタ１０４のタップ長をＭ１、ＦＩＲフィルタ１０７のタップ長をＭ２とすると、次式が成り立つ。
【数１】
2006140917.tif 000003
ここで、ａは１以上の整数である。マルチパスのＤＵ（Ｄｅｓｉｒｅｄ  ｔｏ  Ｕｎｄｅｓｉｒｅｄ）比にもよるが、ａは５倍程度（数倍）必要となる。つまり、ＦＩＲフィルタ１０４，１０７は、当該フィルタのタップ長よりも数倍長い信号を用いて前ゴースト成分、後ゴースト成分をそれぞれ等化する。
【００２４】
尚、メモリ部１０１から出力される信号のうち正しく等化される信号は、時間窓処理部１０８の時間窓により抽出して出力されるＮの部分だけであるため、次（第２回目）にメモリ部１０１から出力される信号は、前回（第１回目）にメモリ部１０１から出力された信号の先頭（Ｄ１）からＮだけ遅れた長さ（Ｌ１＋Ｎ＋Ｌ２）の信号（Ｄ１＋Ｎ〜ＤＬ１＋２Ｎ＋Ｌ２）となる。この場合、図１に示した等化器１の時間窓処理部１０８は、入力される信号のうち、先頭からＬ１の幅の部分及び最後からＬ２の幅の部分を削除する時間窓処理を行い、残された中央のＮの幅の部分のみを抽出して出力するように構成される。
【００２５】
図２は、本発明による等化器の第２の実施例を示すブロック図である。１は本発明による等化器、１０１はメモリ部、１１１及び１１３はＩＩＲフィルタ部、１１２及び１１４は時間反転部、１０８は時間窓処理部をそれぞれ示している。図２に示す等化器１と図１に示した等化器１とは、時間反転部及びＩＩＲフィルタ部の並びが異なっているが、基本的には同じ構成であるため、詳細な説明については省略する。図２の等化器１は、前段のＩＩＲフィルタ部１１１が後ゴーストを等化し、後段のＩＩＲフィルタ部１１３が前ゴーストを等化する。従って、前段のＩＩＲフィルタ部１１１は、後ゴーストを等化するための係数を設定するように構成され、後段のＩＩＲフィルタ部１１３は、前ゴーストを等化するための係数を設定するように構成される。
【００２６】
以上のように、図１及び図２の等化器１によれば、入力信号を時間的に反転した信号を作成する時間反転部１０２，１０５，１１２，１１４、及びＩＩＲフィルタ部１０９，１１０，１１１，１１３の構成により信号を等化するようにしたから、タップ長の長いＦＩＲフィルタによりフィードフォワードタップを構成する必要がない。従って、短いタップ長のフィルタで前ゴーストを等化する等化器１を実現することができる。
【００２７】
（受信機）
図４は、本発明による等化器１を用いた受信機の一実施例を示すブロック図である。図４において、２０は受信機、１は等化器、２は係数算出部、３は復調部をそれぞれ示している。等化器１は、図１及び図２に示した等化器１と同様に構成されており、受信機２０に入力された信号を入力し、当該入力信号を波形等化し、係数算出部２及び復調部３へ等化後の信号を出力する。係数算出部２は、等化器１に内蔵された波形等化用のフィルタの係数を算出し、当該係数を等化器１へ出力する。係数算出部２の詳細な説明については後述する。復調部３は、等化器１から出力された信号を入力し、当該信号の形式に従って復調を行う。尚、復調部３の構成は、入力する信号の形式によって大きく異なるが、この構成によって等化器１の基本構成が変わることがない。このため、ここでは復調部３の構成の説明を省略する。
【００２８】
（遅延プロファイル測定器）
図５は、本発明による等化器１を用いた遅延プロファイル測定器の第１の実施例を示すブロック図である。図５において、３０は遅延プロファイル測定器、１は等化器、２は係数算出部、４は遅延プロファイル表示部をそれぞれ示している。等化器１は、図１及び図２に示した等化器１と同様に構成されており、遅延プロファイル測定器３０に入力された信号を入力し、当該入力信号を波形等化し、等化後の信号を係数算出部２へ出力する。係数算出部２は、等化器１に内蔵された波形等化用のフィルタの係数を算出し、当該係数を等化器１及び遅延プロファイル表示部４へ出力する。遅延プロファイル表示部４は、係数算出部２から出力された等化器１の係数を入力し、当該係数に基づいて、遅延プロファイル測定器３０に入力された信号の伝搬路の遅延プロファイルを算出し、表示する。
【００２９】
（係数算出部）
ここで、詳細な実施例を挙げて、図４及び図５に示した係数算出部２の動作について説明する。図６は、係数算出部２の一実施例を示すブロック図であり、ＯＦＤＭ方式を用いたデジタル信号やデジタル放送の信号（以下、ＯＦＤＭ信号という。）のための遅延プロファイル測定器３０に適用した例を示している。図６において、１は等化器、２は係数算出部、４は遅延プロファイル表示部、２０１はＦＦＴ窓処理部、２０２はＦＦＴ部、２０３はパイロット等化部、２０４は領域判定部、２０５は遅延部、２０６は複素除算部、２０７は誤差算出部、２０８はＦＦＴ窓誤差補正部、２０９は等化残差演算部、２１０はＩＦＦＴ部、２１１は係数加算部、２１２はノイズ除去部、２１３はノイズ閾値設定部、２１４は係数分割部、２１５は時間反転部、２１６は遅延部、２１７は表示判定部をそれぞれ示している。
【００３０】
係数算出部２は、等化部１により出力される等化後の信号を実質的に入力する。ＦＦＴ窓処理部２０１は、係数算出部２に入力された信号を入力し、ＦＦＴ後の信号にシンボル間干渉が発生しないようにＯＦＤＭ信号の有効シンボル期間の信号を抽出して出力する。ＦＦＴ部２０２は、ＦＦＴ窓処理部２０１により出力された有効シンボル期間の信号をＦＦＴ（高速フーリエ変換）し、ＯＦＤＭ信号のサブキャリアのデータに変換して出力する。ここで、ＦＦＴ部２０２により出力されるサブキャリアのデータをＲ（ｋ，ｎ）と定義する。ｋはキャリア番号で周波数を、ｎは係数算出部２による等化部１の係数の更新回数をそれぞれ示す整数である。また、ＫをＯＦＤＭ信号のサブキャリアの総数と定義する。例えば、地上デジタル放送方式ＩＳＤＢ−Ｔのモード３の場合、Ｋ＝５６１７となる。
【００３１】
パイロット等化部２０３は、ＦＦＴ部２０２により出力された信号を入力し、ＯＦＤＭ信号のサブキャリアに含まれるパイロット信号を用いて各サブキャリアを等化して出力する。尚、パイロット信号を用いない方式のＯＦＤＭ信号の場合、パイロット等化部２０３は、その方式に用いられているトレーニング信号を用いて入力信号を等化して出力する。ここで、パイロット等化部２０３により出力されるサブキャリアのデータをＲｅｑ（ｋ，ｎ）と定義する。領域判定部２０４は、パイロット等化部２０３により出力された信号を入力し、各サブキャリアのデータＲｅｑ（ｋ，ｎ）の実部及び虚部の振幅値を用いて領域判定を行い、各サブキャリアの振幅及び位相を判定したデータＲｄ（ｋ，ｎ）を出力する。遅延部２０５は、ＦＦＴ部２０２により出力された信号を入力し、パイロット等化部２０３及び領域判定部２０４における処理時間だけ入力信号を遅延させて出力する。複素除算部２０６は、領域判定部２０４により出力された信号を分母とし、遅延部２０５により出力された信号を分子とし、各サブキャリアのデータを複素除算して出力する。複素除算部２０６の出力をＨ（ｋ，ｎ）とすると、Ｈ（ｋ，ｎ）は次式で算出される。
【数２】
2006140917.tif 000004
尚、ＦＦＴ窓処理部２０１から複素除算部２０６までの詳細な説明については、特開２００３−１４３０９９号公報「周波数特性算出回路およびそれを用いたキャンセラならびに装置」にも記載されているので、参照されたい。図６に示すＦＦＴ窓処理部２０１から複素除算部２０６までの構成の特徴は、データキャリアを含む全てのサブキャリアの周波数特性を算出できるところにある。
【００３２】
誤差算出部２０７は、領域判定部２０４の出力信号を基準として、パイロット等化部２０３の出力信号の誤差ＳＮＲ（ｎ）を次式により算出して出力する。
【数３】
2006140917.tif 000005
【００３３】
ＦＦＴ窓誤差補正部２０８は、複素除算部２０６により出力された信号Ｈ（ｋ，ｎ）を入力し、ＦＦＴ窓処理部２０１においてＯＦＤＭ信号の有効シンボル期間の信号を抽出する際に本来の有効シンボル期間の位置からの誤差によって、複素除算部２０６における出力のサブキャリアのデータＨ（ｋ，ｎ）に発生する周波数特性上の誤差を補正し、補正した結果Ｆ（ｋ，ｎ）を出力する。尚、ＦＦＴ窓誤差補正部２０８の詳細な説明については、特開２０００−２９５１９５号公報「ＯＦＤＭ復調装置」にも記載されているので、参照されたい。
【００３４】
等化残差演算部２０９は、ＦＦＴ窓誤差補正部２０８により出力された信号Ｆ（ｋ，ｎ）を入力し、入力信号に含まれる等化の誤差成分（以下、等化残差という。）を算出する。ＦＦＴ窓誤差補正部２０８の出力信号をＦ（ｋ，ｎ）とし、等化残差演算部２０９が算出する等化残差をＥｅｑ（ｋ，ｎ）とすると、等化残差は次式で定義される。
【数４】
2006140917.tif 000006
【００３５】
ＩＦＦＴ部２１０は、等化残差演算部２０９から出力されたＥｅｑ（ｋ，ｎ）をＩＦＦＴ（逆高速フーリエ変換）して出力する。前述のＦＦＴ部２０２及びＩＦＦＴ部２１０に入力されるデータの数は２のべき乗である必要がある。前述のＩＳＤＢ−Ｔのモード３の場合、Ｋ＝５６１７であるから、Ｋより大きな最小の２のべき乗は８１９２である。従って、入力された５６１７個のキャリアデータを持つＥｅｑ（ｋ，ｎ）に０を挿入して、８１９２個のデータＥ（ｋ，ｎ）を次式にて作成する。
【数５】
2006140917.tif 000007
逆フーリエ変換を示す関数をＩＦＦＴ［］と定義し、ＩＦＦＴ部２１０の出力をｅ（ｋ，ｎ）として、ｅ（ｋ，ｎ）を次式で算出する。
【数６】
2006140917.tif 000008
ここで、ｅ（ｋ，ｎ）は周波数領域データをＩＦＦＴしたものであるから、時間領域のデータを示しており、ｅ（ｋ，ｎ）のｋは周波数ではなく時間を示している。ｋの時間間隔は、ＩＳＤＢ−Ｔのモード３の場合、周波数領域におけるｋの間隔が１０００／１００８（ｋＨｚ）であるから、その逆数をＩＦＦＴポイント数の８１９２で除算したものに等しく、６３／５１２（マイクロ秒）となる。また、振幅値の較正として、ＩＦＦＴに８１９２ポイント全てのデータを１として入力した場合にｋ＝０の位置に１が出力されるようなＩＦＦＴの関数を用いているとき、（６）式で算出したｅ（ｋ，ｎ）を８１９２／５６１７倍することにより、相対的な主波の振幅値が１となるように較正することができる。ここで、８１９２はＩＦＦＴポイント数、５６１７はＥｅｑ（ｋ，ｎ）のデータ数である。
【００３６】
係数加算部２１１は、ＩＦＦＴ部２１０により出力されたｅ（ｋ，ｎ）と、後述する遅延部２１６により出力されたｃ（ｋ，ｎ−１）とを次式で加算し、ｃ’（ｋ，ｎ）を出力する。
【数７】
2006140917.tif 000009
ここで、μは係数更新の重み付け係数である。
【００３７】
ノイズ閾値設定部２１３は、誤差算出部２０７により算出された誤差ＳＮＲ（ｎ）を入力し、ノイズ除去部２１２に設定するための閾値Ｔ（ｎ）を算出する。Ｔ（ｎ）は次式で算出する。
【数８】
2006140917.tif 000010
ここで、ｂは１以上の実数である。通常、閾値Ｔ（ｎ）は、誤差算出部２０７により算出された誤差ＳＮＲ（ｎ）の１００倍程度が設定される。従って、ｂ＝１００程度の値が設定される。
【００３８】
ノイズ除去部２１２は、係数加算部２１１により算出されたｃ’（ｋ，ｎ）のうち、ノイズ閾値設定部２１３により算出された閾値Ｔ（ｎ）よりも絶対値が小さな係数をノイズとみなして０に置き換え出力する。ノイズ閾値設定部２１３により出力される閾値をＴ（ｎ）とし、ノイズ除去部２１２によりノイズ除去された係数をｃ（ｋ，ｎ）とする。ノイズ除去部２１２におけるノイズの除去は次式のように行う。
【数９】
2006140917.tif 000011
【００３９】
係数分割部２１４は、ノイズ除去部２１２によりノイズ除去された係数ｃ（ｋ，ｎ）を、等化器１の後ゴースト等化用の係数と前ゴースト等化用の係数とに分割してそれぞれ出力する。ＦＦＴ窓誤差補正部２０８により誤差補正された信号から算出した係数ｃ（ｋ，ｎ）は、ｋ＝０の位置が、主波との遅延時間差が０となるように調整されている。従って、係数分割部２１４は、次式のように、入力した係数ｃ（ｋ，ｎ）を、後ゴースト等化用の係数ｃ１（ｋ，ｎ）と前ゴースト等化用の係数ｃ２（ｋ，ｎ）とに分割する。
【数１０】
2006140917.tif 000012
尚、（１０）式は、ＩＳＤＢ−Ｔのモード３のように、ＩＦＦＴ部２１０のポイント数が８１９２であり、ｋの４０９６以降の部分が前ゴーストであるとした場合の例である。
【００４０】
時間反転部２１５は、係数分割部２１４により出力された前ゴースト等化用の係数ｃ２（ｋ，ｎ）の時間の並び、すなわちｋの並びを反転して出力する。（１０）式のｃ２（ｋ，ｎ）を時間反転する場合、（１１）式のように表される。
【数１１】
2006140917.tif 000013
【００４１】
表示判定部２１７は、誤差算出部２０７により算出された誤差ＳＮＲ（ｎ）を入力し、誤差ＳＮＲ（ｎ）の値から等化器１による等化が正しく行われているか否かを判定し、判定結果である表示許可フラグを等化器１及び遅延プロファイル表示部４へ出力する。等化器１による等化が正しく行われることは、等化器１の係数が正しく遅延プロファイルを示していることを意味する。従って、等化が正しく行われていることの判定を行うことにより、遅延プロファイルが正しく算出されているかを判定することができる。例えば、表示判定部２１７は、（１２）式を満足した場合に表示許可フラグを設定し、等化器１及び遅延プロファイル表示部４へ出力するように構成される。
【数１２】
2006140917.tif 000014
【００４２】
このように、係数算出部２は、算出した係数を等化器１及び遅延プロファイル表示部４へ出力する。具体的には、係数算出部２の時間反転部２１５が、前ゴースト用係数ｃ２’（ｋ，ｎ）を等化器１内の前ゴースト等化用フィルタ１０４へ出力し、係数分割部２１４が、後ゴースト用係数ｃ１（ｋ，ｎ）を等化器１内の後ゴースト等化用フィルタ１０７へ出力する。また、係数算出部２は、算出した係数を遅延プロファイル表示部４へも出力する。具体的には、係数分割部２１４の前に設けられたノイズ除去部２１２が、出力信号である係数ｃ（ｋ，ｎ）を分岐して遅延プロファイル表示部４へ出力する。
【００４３】
また、係数算出部２は、表示判定部２１７により判定された表示許可フラグを等化部１及び遅延プロファイル表示部４へ出力する。等化部１は、係数算出部２により出力された表示許可フラグを入力して新たな観測信号を取得し、メモリに蓄積する。そして、等化器１の時間反転部１０２は、新たな観測信号を読み出す。この表示許可フラグは、等化を行う観測信号の更新のために用いられる。また、遅延プロファイル表示部４は、係数算出部２により出力された表示許可フラグを入力して遅延プロファイルを表示する。
【００４４】
（遅延プロファイル表示部）
遅延プロファイル表示部４は、係数算出部２のノイズ除去部２１２により分岐して出力された係数ｃ（ｋ，ｎ）を入力し、係数ｃ（ｋ，ｎ）を遅延プロファイルに変換して表示する。係数分割部２１４が（１０）式のように前ゴースト等化用の係数と後ゴースト等化用の係数とに分割する場合、遅延プロファイル表示部４も（１０）式と同様に前ゴースト等化用の係数と後ゴースト等化用の係数とに分割して表示する。遅延プロファイル表示部４において前ゴーストと後ゴーストとに分割して遅延時間順に並び替えた遅延プロファイルｈ（ｋ，ｎ）は、次式のように表される。
【数１３】
2006140917.tif 000015
ここで、ｈ（ｋ，ｎ）は、ｋ＝４０９６が遅延時間０、すなわち遅延プロファイルｈ（ｋ，ｎ）上の主波の位置となる。また、実施例に用いているＩＳＤＢ−Ｔのモード３では、ｋが１進むと時間が６３／５１２（≒０．１２３）マイクロ秒進む。尚、遅延プロファイルｈ（ｋ，ｎ）は主波が削除された形で算出される。従って、遅延プロファイルを表示する場合、遅延プロファイル表示部４は、ｋ＝４０９６すなわち遅延時間０の位置に主波となるべきインパルスを追加した形で表示する。係数算出部２のＩＦＦＴ部２１０の出力ｅ（ｋ，ｎ）が主波の振幅値が１となるように較正されている場合は、ｈ（４０９６，ｎ）＝１とすればよい。
【００４５】
（遅延プロファイル測定器の実施例２）
図７は、本発明による等化器１を用いた遅延プロファイル測定器の第２の実施例を示すブロック図である。本図において、３０は遅延プロファイル測定器、１は等化器、２は係数算出部、４は遅延プロファイル表示部をそれぞれ示している。尚、図７において、図５と同じブロックには同じ番号を付け、説明も省略する。図７と図５の相違点は、図７に示す遅延プロファイル測定器３０の係数算出部２が、等化部１の入力信号と出力信号の２つ信号を入力して等化器１の係数を算出することにある。具体的には、係数算出部２は、最小２乗誤差法（ＭＭＳＥ）に基づくアルゴリズムを使用して等化部１の係数を算出する。
【００４６】
以上のように、図１または図２に示した等化器１を具えた遅延プロファイル測定器３０によれば、係数算出部２が、観測信号の周波数特性を等化する等化器１におけるフィルタの係数を、等化器１の出力信号を入力して算出する。そして、等化器１が、係数算出部２により算出された係数を用いて等化を行い、遅延プロファイル表示部４が、前記係数を入力して等化器１の伝達関数を算出し、この伝達関数から遅延プロファイルを算出するようにした。これにより、観測信号にシンボル間干渉やキャリア間干渉等の干渉が含まれている場合においても、観測信号から遅延プロファイルを正確に測定することができる。
【００４７】
また、前述の遅延プロファイル測定器３０によれば、係数算出部２が、等化器１による等化が正しく行われているか否かを判定し、等化が正しく行われていることを示すフラグを等化器１及び遅延プロファイル表示部４へ出力する。そして、等化器１は、前記フラグを入力すると、新たな観測信号を取得する。また、取得遅延プロファイル表示部４は、前記フラグを入力すると、遅延プロフイルを表示するようにした。これにより、１回の観測信号から遅延プロファイルを正確に測定することができる。また、遅延プロファイル測定器３０を、観測信号の入力更新処理が遅いコンピュータに適用することができる。
【００４８】
次に、観測信号に前ゴースト及び後ゴーストが含まれるマルチパス環境下においても、観測信号から遅延プロファイルを正確に測定可能な遅延プロファイル測定器について説明する。前述のように、図５及び図７に示した遅延プロファイル測定器３０により、観測信号にシンボル間干渉やキャリア間干渉等の干渉が含まれている場合においても、観測信号から遅延プロファイルを正確に測定することができる。
【００４９】
しかし、観測信号が前ゴースト及び後ゴーストの両方を含み、時間領域で等化する等化器の係数から遅延プロファイルを算出する場合において、前ゴーストを等化するフィルタの特性が後ゴーストに畳み込まれてしまうため、後ゴーストを等化するフィルタの係数に実際の遅延プロファイルには存在しない係数が現れてしまう。このため、後ゴーストを等化するフィルタの係数を後ゴーストの遅延プロファイルとしてそのまま用いることができない。また、フィルタの順番を入れ替えて、後ゴーストを等化するフィルタの前に前ゴーストを等化するフィルタを接続した場合には、後ゴーストを等化するフィルタの特性が前ゴーストに畳み込まれてしまうため、前ゴーストを等化するフィルタの係数に実際の遅延プロファイルには存在しない係数が現れてしまう。このため、前ゴーストを等化するフィルタの係数を前ゴーストの遅延プロファイルとしてそのまま用いることができない。
【００５０】
以下、観測信号に前ゴースト及び後ゴーストが含まれるマルチパス環境下においても、観測信号から遅延プロファイルを正確に測定可能な遅延プロファイル測定器について説明する。
（遅延プロファイル測定器の実施例３）
まず、遅延プロファイル測定器の構成について説明する。図８は、遅延プロファイル測定器の第３の実施例を示すブロック図である。図８において、３０は遅延プロファイル測定器、１は等化器、２は係数算出部、４は遅延プロファイル表示部、１４は前ゴースト等化フィルタ、１５は後ゴースト等化フィルタ、４１はイメージ除去部、４２は遅延プロファイル算出部、４３はデータ表示部をそれぞれ示す。尚、図８において図５及び図７と同じブロックには同じ番号を付け、その説明を省略する。図８と図５及び図７との主な相違点は、図８の遅延プロファイル表示部４が、係数算出部２から前ゴースト等化用係数及び後ゴースト等化用係数を入力し、前ゴースト等化フィルタの特性が後ゴーストに畳み込まれることにより、後ゴースト等化フィルタの係数に現れる実際の遅延プロファイルには存在しない係数（以下、イメージという。）を除去するところにある。
【００５１】
図８を参照して、遅延プロファイル測定器３０には、伝搬路のマルチパスの影響を受けた観測信号が入力される。等化器１は、遅延プロファイル測定器３０に入力された観測信号を入力する。等化器１は、観測信号に含まれるマルチパスによる波形歪みを等化し、等化後の信号を出力する。等化器１は、前ゴースト等化フィルタ１４と後ゴースト等化フィルタ１５とから構成される。前ゴースト等化フィルタ１４は、入力された観測信号に含まれる前ゴーストを等化して出力する。後ゴースト等化フィルタ１５は、前ゴースト等化フィルタ１４の出力信号に含まれる後ゴーストを等化して出力する。尚、等化器１の具体的な構成及び動作については、図１及び図２に示した等化器１と同様であるから、ここでは説明を省略する。図８に示す前ゴースト等化フィルタ１４は、図１に示した等化器１の時間反転部１０２、減算器１０３及びＦＩＲフィルタ１０４により構成され、後ゴースト等化フィルタ１５は、図１に示した時間反転部１０５、減算器１０６及びＦＩＲフィルタ１０７により構成される。また、前ゴースト等化フィルタ１４は、図２に示した等化器１のＩＩＲフィルタ部１１１及び時間反転部１１２により構成され、後ゴースト等化フィルタ１５は、図２に示したＩＩＲフィルタ部１１３及び時間反転部１１４により構成される。
【００５２】
係数算出部２は、等化器１により出力された等化後の信号を入力し、伝搬路の伝達関数と等化器１の伝達関数との間の差分（等化残差）を演算し、その等化残差を用いて等化器１の伝達関数が伝搬路の伝達関数の逆数に等しくなるように等化器１の新たな係数を算出し、算出した係数を等化器１及び遅延プロファイル表示部４へ出力する。尚、係数算出部２の具体的な構成及び動作については、図５及び図７に示した遅延プロファイル測定器３０の係数算出部２と同様であるから、ここでは説明を省略する。図６に示した係数算出部２は、係数ｃ（ｋ，ｎ）を遅延プロファイル表示部４へ出力するが、図８に示す係数算出部２は、時間反転部２１５が前ゴースト等化用係数ｃ２’（ｋ，ｎ）と、係数分割部２１４が後ゴースト等化用係数ｃ１（ｋ，ｎ）をそれぞれ分岐して遅延プロファイル表示部４へ出力する。また、係数算出部２は、前ゴースト等化用係数と後ゴースト等化用係数とに分割し、それぞれ前ゴースト等化フィルタ１４と後ゴースト等化フィルタ１５へ出力する。
【００５３】
遅延プロファイル表示部４は、等化器１の伝達関数Ｇ（ω，ｎ）から観測信号が通過した伝搬路の遅延プロファイルを算出して表示する。等化器１の等化器の適応アルゴリズムにより、求めた等化器１の伝達関数の逆数が、観測信号が通過した伝搬路の伝達関数に等しくなる。従って、観測信号が通過した伝搬路の遅延プロファイルをｈ（ｔ，ｎ）とすると、等化器１の伝達関数Ｇ（ω，ｎ）の逆数は、伝搬路の伝達関数Ｈ（ω，ｎ）に等しく、この伝搬路の伝達関数Ｈ（ω，ｎ）を逆フーリエ変換したｈ（ｔ，ｎ）は伝搬路のインパルス応答、すなわち遅延プロファイルとなる。
【００５４】
遅延プロファイル表示部４の構成及び動作について具体的に説明する。遅延プロファイル表示部４は、係数算出部２により出力された等化器１の係数を用いて、観測信号が通過した伝搬路の遅延プロファイルを算出して表示する。遅延プロファイル表示部４は、係数算出部２により出力され分岐された前ゴースト等化フィルタ１４の係数及び後ゴースト等化フィルタ１５の係数を入力する。図８に示すように、等化器１が前ゴーストを等化するフィルタ１４の出力を後ゴーストを等化するフィルタ１５へ入力する構成の場合には、遅延プロファイル表示部４のイメージ除去部４１が、前ゴースト等化用係数及び後ゴースト等化用係数を入力し、後ゴースト等化フィルタ１５の周波数特性の逆数に前ゴースト等化フィルタ１４の周波数特性を乗算し、その結果を遅延プロファイル算出部４２へ出力する。この演算において、前ゴースト等化フィルタ１４の特性が後ゴーストに畳み込まれることにより後ゴースト等化フィルタ１５の係数に現れる実際の遅延プロファイルには存在しない係数を除去することができる。
【００５５】
遅延プロファイル算出部４２は、係数算出部２から等化器１へ出力される前ゴースト等化用係数を入力し、この前ゴースト等化用係数から前ゴーストの遅延プロファイルを算出し、イメージ除去部４２による出力から後ゴーストの遅延プロファイルを算出する。また、遅延プロファイル算出部４２は、前ゴーストの遅延プロファイルと後ゴーストの遅延プロファイルとを結合し、遅延プロファイルｈ（ｔ，ｎ）としてデータ表示部４３へ出力する。
【００５６】
データ表示部４３は、遅延プロファイル算出部４２により出力された遅延プロファイルｈ（ｔ，ｎ）を、横軸を遅延時間ｔとしてグラフ化し、モニタ等の表示装置に出力する。また、データ表示部４３は、遅延プロファイルをモニタ等に表示するだけでなく、外部のメモリ等に測定結果として出力するように構成することもできる。
【００５７】
次に、ＯＦＤＭ信号を用いたデジタル放送やデジタル伝送の信号を観測信号とした場合における遅延プロファイル表示部４の動作について説明する。遅延プロファイル表示部４は、係数算出部２のノイズ除去部２１２により出力され分岐された前ゴースト等化フィルタ１４の係数及び後ゴースト等化フィルタ１５の係数の両方を含んでいる係数ｃ（ｋ，ｎ）を入力する。イメージ除去部４１は、前ゴースト等化フィルタ１４が後ゴーストに畳み込まれることにより後ゴースト等化フィルタ１５の係数に現れる実際の遅延プロファイルには存在しない係数であるイメージを、（１４）式により除去する。
【数１４】
2006140917.tif 000016
（１４）式において、係数ｃ’’１（ｋ，ｎ）は後ゴーストの周波数特性の逆数のインパルス応答を、係数ｃ’’２（ｋ，ｎ）は前ゴーストの周波数特性の逆数のインパルス応答をそれぞれ示している。従って、係数ｃ’’（ｋ，ｎ）は、後ゴーストの周波数特性の逆数及び前ゴーストの周波数特性の逆数を乗算したものを逆フーリエ変換したものであり、本式により後ゴースト等化フィルタ１５の係数に現れるイメージを除去することができる。イメージ除去部４１は、算出した係数ｃ’’（ｋ，ｎ）を遅延プロファイル算出部４２へ出力する。
【００５８】
遅延プロファイル算出部４２は、等化器１により出力された係数ｃ（ｋ，ｎ）、及びイメージ除去部４１により出力された係数ｃ’’（ｋ，ｎ）を入力し、遅延プロファイルｈ（ｋ，ｎ）を算出して出力する。前ゴースト及び後ゴーストに分割して遅延時間順に並び替えた遅延プロファイルｈ（ｋ，ｎ）は、次式のように表される。
【数１５】
2006140917.tif 000017
ここで、ｈ（ｋ，ｎ）は、ｋ＝４０９６が遅延時間０、すなわち遅延プロファイル上の主波の位置となる。また、本例に用いているＩＳＤＴ−Ｔのモード３では、ｋが１進むと時間が６３／５１２（≒０．１２３）マイクロ秒進む。尚、ｃ（ｋ，ｎ）は、主波の振幅が１となるように較正されているものとし、（１５）式では、ｈ（４０９６，ｎ）＝１としている。遅延プロファイル算出部４２は、（１５）式で算出した遅延プロファイルｈ（ｋ，ｎ）をデータ表示部４３へ出力する。
【００５９】
（遅延プロファイル測定器の実施例４）
図９は、遅延プロファイル測定器の第４の実施例を示すブロック図である。尚、図９において図８と同じブロックには同じ番号を付け、その説明を省略する。図９と図８との相違点は、図９に示す等化器１において後ゴースト等化フィルタ１５の後に前ゴースト等化フィルタ１４が接続するように構成されているところにある。この構成における前ゴースト等化フィルタ１４の係数は、後ゴースト等化フィルタ１５の特性が畳み込まれた形となる。このため、遅延プロファイル表示部４のイメージ除去部４１は、前ゴースト等化フィルタ１４の係数に現れるイメージを除去するように構成される。尚、遅延プロファイル表示部４のイメージ除去部４１までの動作については、図８に示した動作と同じであるので、説明は省略する。すなわち、イメージ除去部４１による前ゴースト等化フィルタ２４の係数に現れるイメージの除去は、（１４）式を用いて行われる。
【００６０】
図９に示す遅延プロファイル測定器３０において、遅延プロファイル算出部４２は、係数算出部２により出力された係数ｃ（ｋ，ｎ）、及びイメージ除去部４１により出力された係数ｃ’’（ｋ，ｎ）を入力し、遅延プロファイルｈ（ｋ，ｎ）を算出して出力する。前ゴースト及び後ゴーストに分割して遅延時間順に並び替えた遅延プロファイルｈ（ｋ，ｎ）は、次式のように表される。
【数１６】
2006140917.tif 000018
（１６）式で算出したｈ（ｋ，ｎ）も（１５）式と同様に、ｋ＝４０９６が遅延時間０、すなわち遅延プロファイル上の主波の位置となる。また、本例に用いているＩＳＤＴ−Ｔのモード３では、ｋが１進むと時間が６３／５１２（≒０．１２３）マイクロ秒進む。尚、ｃ（ｋ，ｎ）は、主波の振幅が１となるように較正されているものとし、（１６）式では、ｈ（４０９６，ｎ）＝１としている。遅延プロファイル算出部４２は、（１６）式で算出した遅延プロファイルｈ（ｋ，ｎ）をデータ表示部４３へ出力する。
【００６１】
以上のように、図８及び図９に示した遅延プロファイル測定器３０によれば、遅延プロファイル表示部４のイメージ除去部４１が、等化器１内の後部に接続された後ゴースト等化ファルタ１５（図９の場合は前ゴースト等化フィルタ１４）の係数に現れるイメージを除去し、遅延プロファイル算出部４２が、イメージが除去された係数により遅延プロファイルを算出するようにした。これにより、図８においては、前ゴースト等化フィルタ１４の特性が後ゴーストに畳み込まれてしまうことに伴う問題、すなわち、実際の遅延プロファイルには存在しない係数が後ゴースト等化フィルタ１５の係数に現れてしまうことにより、当該係数をそのまま遅延プロファイルの算出のために用いることができないという問題を解決することができる。図９においても、同様の畳み込みに伴って、前ゴースト等化フィルタ１４の係数をそのまま遅延プロファイルの算出のために用いることができないという問題を解決することができる。従って、観測信号にシンボル間干渉やキャリア間干渉等の干渉が含まれている場合においても、観測信号から遅延プロファイルを正確に測定することができることに加えて、観測信号に前ゴースト及び後ゴーストが含まれるマルチパス環境下においても、観測信号から遅延プロファイルを正確に測定することができる。
【００６２】
尚、等化器１は、ＣＰＵ、ＲＡＭ等の揮発性の記憶媒体、ＲＯＭ等の不揮発性の記憶媒体、キーボードやポインティングデバイス等の入力装置、画像やデータを表示する表示装置、及び外部の装置と通信をするためのインタフェースを具えたコンピュータによって構成される。この場合、メモリ部１０１、時間反転部１０２，１０５，１１２，１１４、ＩＩＲフィルタ部１０９，１１０，１１１，１１３、及び時間窓処理部１０８の各処理は、当該処理を記述したプログラムをＣＰＵに実行させることによりそれぞれ実現される。また、これらのプログラムは、磁気ディスク（フロッピィーディスク、ハードディスク等）、光ディスク（ＣＤ−ＲＯＭ、ＤＶＤ等）、半導体メモリ等の記憶媒体に格納して頒布することもできる。さらに、受信機２０及び遅延プロファイル測定器３０も、ＣＰＵ、ＲＡＭ等の揮発性の記憶媒体等を具えたコンピュータによって構成される。この場合、等化器１、係数算出部２、復調部３、及び遅延プロファイル表示部４の各処理は、当該処理を記述したプログラムをＣＰＵに実行させることによりそれぞれ実現される。また、これらのプログラムは、磁気ディスク等の記憶媒体に格納して頒布することもできる。
【図面の簡単な説明】
【００６３】
【図１】本発明による等化器の第１の実施例を示すブロック図である。
【図２】本発明による等化器の第２の実施例を示すブロック図である。
【図３】メモリ部における出力処理を説明するための図である。
【図４】本発明による等化器を用いた受信機の一実施例を示すブロック図である。
【図５】本発明による等化器を用いた遅延プロファイル測定器の第１の実施例を示すブロック図である。
【図６】係数算出部の一実施例を示すブロック図である。
【図７】本発明による等化器を用いた遅延プロファイル測定器の第２の実施例を示すブロック図である。
【図８】本発明による等化器を用いた遅延プロファイル測定器の第３の実施例を示すブロック図である。
【図９】本発明による等化器を用いた遅延プロファイル測定器の第４の実施例を示すブロック図である。
【図１０】従来の等化器の例を示すブロック図である。
【符号の説明】
【００６４】
１，１０  等化器
２  係数算出部
３  復調部
４  遅延プロファイル表示部
１１，１３，１０４，１０７  ＦＩＲフィルタ
１２，１０３，１０６  減算器
１４  前ゴースト等化フィルタ
１５  後ゴースト等化フィルタ
２０  受信機
３０  遅延プロファイル測定器
１０１  メモリ部
１０２，１０５，１１２，１１４，２１５  時間反転部
１０８  時間窓処理部
１０９，１１０，１１１，１１３  ＩＩＲフィルタ部
２０１  ＦＦＴ窓処理部
２０２  ＦＦＴ部
２０３  パイロット等化部
２０４  領域判定部
２０５，２１６  遅延部
２０６  複素除算部
２０７  誤差算出部
２０８  ＦＦＴ窓誤差補正部
２０９  等化残差演算部
２１０  ＩＦＦＴ部
２１１  係数加算部
２１２  ノイズ除去部
２１３  ノイズ閾値設定部
２１４  係数分割部
２１７  表示判定部
【図１】
2006140917.tif 000019
【図２】
2006140917.tif 000020
【図３】
2006140917.tif 000021
【図４】
2006140917.tif 000022
【図５】
2006140917.tif 000023
【図６】
2006140917.tif 000024
【図７】
2006140917.tif 000025
【図８】
2006140917.tif 000026
【図９】
2006140917.tif 000027
【図１０】
2006140917.tif 000028